(57)【特許請求の範囲】
【請求項１】
クロマトグラムデータの中から特定のパラメータを満たす部分の波形をピークとして自動で検出する自動波形処理部と、
前記自動波形処理部による処理に用いられる前記パラメータを記憶する記憶部と、
前記自動波形処理部により検出されたピークを表示画面に表示させる表示処理部と、
前記表示画面に表示されているピーク自体を補正するためのユーザによる手動操作に基づいて、当該ピーク自体が補正された場合に、その補正されたピークのパラメータを抽出し、当該抽出したパラメータを前記記憶部に記憶されている前記パラメータに反映させる手動波形処理部とを備えることを特徴とするデータ処理装置。
【請求項２】
前記表示処理部は、前記手動波形処理部により反映された前記パラメータを前記表示画面に表示させることを特徴とする請求項１に記載のデータ処理装置。
【請求項３】
前記パラメータには、ピークの開始点における波形の傾き、ピークの終了点における波形の傾き、及び、前記開始点と前記終了点との間の幅の少なくとも１つが含まれることを特徴とする請求項１又は２に記載のデータ処理装置。
【発明の詳細な説明】
【技術分野】
【０００１】
本発明は、クロマトグラムデータに対して自動で波形処理を行うデータ処理装置に関するものである。
【背景技術】
【０００２】
従来より、クロマトグラフで得られるクロマトグラムデータの分析を行うに際して、自動で波形処理を行うデータ処理装置が利用されている。
【０００３】
このようなデータ処理装置は、波形処理として、例えば、クロマトグラムデータにおけるピークを検出する処理などを行う。具体的には、データ処理装置は、クロマトグラムデータにおけるピークの開始点及び終了点を検出することで、その開始点から終了点までの波形をピークとして認識（検出）する。そして、データ処理装置は、ピークの開始点と終了点とを結ぶベースラインを作成し、このベースラインとピークとで囲まれる領域の面積を算出する。データ処理装置では、このような処理が自動で行われている（例えば、下記特許文献１参照）。
【０００４】
データ処理装置では、自動での波形処理を行うための各種パラメータを予め記憶している。そして、データ処理装置は、クロマトグラムデータ上の各情報（各点）と、パラメータとを比較し、パラメータを満たす部分を検出している。
【０００５】
このようなデータ処理装置を用いる場合において、データ処理装置による処理結果がユーザが所望する内容とは異なる場合がある。例えば、ピークの開始点及び終了点が本来の位置からずれて検出される場合がある。この場合には、ユーザは、表示部などに表示されるクロマトグラムを確認しながら、手動操作でピークの開始点及び終了点を変更（補正）する。そして、ユーザは、変更した後の正確なピークに基づいて分析を行う。
【先行技術文献】
【特許文献】
【０００６】
【特許文献１】特開２００４−２７１４２２号公報
【発明の概要】
【発明が解決しようとする課題】
【０００７】
上記のような従来のデータ処理装置では、ユーザ作業が煩雑化するおそれがあった。具体的には、分析動作を複数回にわたって行うような場合には、ピークの開始点及び終了点が適切な位置からずれて検出されることが繰り返し発生してしまう。そして、ユーザは、分析動作のたびに、手動操作でピークの開始点及び終了点を変更する必要がある。また、クロマトグラムデータに含まれるピークの数が多い場合や、分析動作の回数が多い場合などには、ユーザ作業が一層煩雑化してしまう。
【０００８】
本発明は、上記実情に鑑みてなされたものであり、自動で波形処理されたデータを補正する作業を効率化できるデータ処理装置を提供することを目的とする。
【課題を解決するための手段】
【０００９】
（１）本発明に係るデータ処理装置は、自動波形処理部と、記憶部と、表示処理部と、手動波形処理部とを備える。前記自動波形処理部は、クロマトグラムデータの中から特定のパラメータを満たす部分の波形をピークとして自動で検出する。前記記憶部は、前記自動波形処理部による処理に用いられる前記パラメータを記憶する。前記表示処理部は、前記自動波形処理部により検出されたピークを表示画面に表示させる。前記手動波形処理部は、前記表示画面に表示されているピークに対するユーザによる手動操作に基づいて、当該ピークのパラメータが指定された場合に、その指定されたパラメータを前記記憶部に記憶されている前記パラメータに反映させる。
【００１０】
このような構成によれば、自動波形処理部によって、記憶部に記憶されるパラメータに基づいて、クロマトグラムデータから自動でピークが検出された場合であって、検出されたピークが分析に適さないものである場合には、ユーザは、ピークに対して手動操作を行うことにより、ピークを補正できる。そして、手動波形処理部は、ユーザによる手動操作に基づいて、ピークのパラメータが指定された場合には、その指定されたパラメータを記憶部に記憶されているパラメータに反映させる。
【００１１】
すなわち、記憶部に記憶されるパラメータが適切な値でない場合には、手動波形処理部によって、ユーザの手動操作によるピークの補正に伴うパラメータの指定を受け付け、その指定を記憶部のパラメータに反映させて適切な値に変更できる。そして、その後に波形処理を行う際には、自動波形処理部によって、適切な値のパラメータに基づいてピークが自動で検出される。
このように、ユーザによって、一度、手動操作でピークが補正されれば、その後は、変更された後のパラメータに基づいて、正確なピークが自動で検出される。
そのため、ユーザによる手動操作が繰り返し行われることを抑制できる。
その結果、自動で波形処理されたデータ（クロマトグラムデータ）を補正する作業を効率化できる。
【００１２】
（２）また、前記表示処理部は、前記手動波形処理部により指定が反映された前記パラメータを前記表示画面に表示させてもよい。
【００１３】
このような構成によれば、ユーザは、適切な値のパラメータを表示画面において確認できる。
具体的には、ユーザが表示画面に表示されているピークに対して手動操作を行い、ピークのパラメータを指定した場合には、その指定が反映されたパラメータの値を正確に確認することが難しい場合がある。しかし、その指定が反映されたパラメータを表示画面に表示させることにより、ユーザは、適切な値のパラメータを正確に確認することができる。
【００１４】
（３）また、前記パラメータには、ピークの開始点における波形の傾き、ピークの終了点における波形の傾き、及び、前記開始点と前記終了点との間の幅の少なくとも１つが含まれてもよい。
【００１５】
このような構成によれば、ピークを自動で検出するのに適切な種類のパラメータが、ユーザの手動操作により指定され、記憶部に記憶されているパラメータに反映される。したがって、その後に変更された後のパラメータに基づいてピークを自動で検出すれば、クロマトグラムデータから精度よくピークを検出できる。
【発明の効果】
【００１６】
本発明によれば、記憶部に記憶されるパラメータが適切な値でない場合には、ユーザの手動操作によるピークの補正に伴うパラメータの指定を受け付け、その指定を記憶部のパラメータに反映させて適切な値に変更できる。そして、その後に波形処理を行う際には、適切な値のパラメータに基づいてピークが自動で検出される。そのため、ユーザによる手動操作が繰り返し行われることを抑制できる。その結果、自動で波形処理されたデータを補正する作業を効率化できる。
【図面の簡単な説明】
【００１７】
【図１】本発明の一実施形態に係るデータ処理装置、及び、当該データ処理装置とともに用いられるガスクロマトグラフの構成例を示した概略図である。
【図２】図１のデータ処理装置の制御部、及び、その周辺の部材の具体的構成を示したブロック図である。
【図３】表示画面の表示態様の一例であって、予め記憶部に記憶しているパラメータに基づいて自動波形処理が行われる際の表示例を示した概略図である。
【図４】制御部による処理の一例を示したフローチャートである。
【図５】表示画面の表示態様の一例であって、手動波形処理が行われる際の表示例を示した概略図である。
【発明を実施するための形態】
【００１８】
１．ガスクロマトグラフの全体構成
図１は、本発明の一実施形態に係るデータ処理装置１、及び、当該データ処理装置１とともに用いられるガスクロマトグラフ２の構成例を示した概略図である。
【００１９】
データ処理装置１は、ガスクロマトグラフ２で得られるデータに対して各種のデータ処理を行うための装置である。データ処理装置１は、例えば、コンピュータにより構成される。データ処理装置１の詳しい構成については、後述する。
【００２０】
ガスクロマトグラフ２は、キャリアガスとともに試料ガスをカラム３内に供給することにより分析を行うためのものであり、上記カラム３以外に、カラムオーブン４、試料導入部５及び検出器６などを備えている。
カラム３は、例えば、キャピラリカラムからなる。カラム３は、ヒータ及びファンなど（いずれも図示せず）とともにカラムオーブン４内に収容されている。
カラムオーブン４は、カラム３を加熱するためのものであり、分析時にはヒータ及びファンを適宜駆動させる。
【００２１】
試料導入部５は、カラム３内にキャリアガス及び試料ガスを導入するためのものであり、その内部に試料気化室（図示せず）が形成されている。この試料気化室には、液体試料が注入され、試料気化室内で気化された試料が、キャリアガスとともにカラム３内に導入される。また、試料気化室には、ガス供給流路７及びスプリット流路８が連通している。
ガス供給流路７は、試料導入部５の試料気化室内にキャリアガスを供給するための流路である。
【００２２】
スプリット流路８は、スプリット導入法によりカラム３内にキャリアガス及び試料ガスを導入する際に、試料気化室内のガス（キャリアガス及び試料ガスの混合ガス）の一部を所定のスプリット比で外部に排出するための流路である。
【００２３】
検出器６は、例えば、水素炎イオン化検出器（ＦＩＤ）や、炎光光度検出器（ＦＰＤ）により構成される。検出器６は、カラム３から導入されるキャリアガスに含まれる各試料成分を順次検出する。
【００２４】
ガスクロマトグラフ２において試料を測定する際は、分析対象となる試料が試料導入部５に注入される。試料は、試料気化室において気化される。また、試料導入部５の試料気化室には、ガス供給流路７を介してキャリアガスが供給される。
【００２５】
試料気化室内で気化された試料は、キャリアガスとともにカラム３内に導入される。試料に含まれる各試料成分は、カラム３内を通過する過程で分離されて、検出器６に順次導入される。
【００２６】
そして、検出器６において、カラム３から導入されるキャリアガスに含まれる各試料成分が順次検出される。また、検出器６からの検出信号が、データ処理装置１に入力される。
データ処理装置１では、入力された信号に基づいてクロマトグラムが生成される。そして、ユーザは、得られたクロマトグラムを確認して、各種分析を行う。
【００２７】
２．制御部及び周辺の部材の具体的構成
図２は、データ処理装置１の制御部１４、及び、その周辺の部材の具体的構成を示したブロック図である。
データ処理装置１は、操作部１１と、表示部１２と、記憶部１３と、制御部１４とを備えている。
【００２８】
操作部１１は、例えば、キーボード及びマウスなどにより構成される。ユーザは、操作部１１を操作することにより、分析条件などの各種情報を制御部１４に入力することができる。
表示部１２は、例えば、液晶表示器などにより構成される。表示部１２には、制御部１４の制御により、分析結果などの各種情報が表示される。
【００２９】
記憶部１３は、例えば、ＲＯＭ（Read Only Memory）、ＲＡＭ（Random Access Memory）及びハードディスクなどにより構成されている。記憶部１３は、検出データ１３１と、複数のパラメータ１３２とを記憶している。
【００３０】
検出データ１３１は、後述するデータ処理部１４１によって、検出器６からの検出信号に基づいて生成されるクロマトグラムのデータ（クロマトグラムデータ）である。
【００３１】
各パラメータ１３２は、クロマトグラムにおけるピークを特定するための数値データ（閾値）であって、予め記憶部１３に記憶されている。具体的には、パラメータ１３２には、クロマトグラムにおけるピークの開始点における波形の傾きを表す数値データ、ピークの終了点における波形の傾きを表す数値データ、及び、ピークの開始点と終了点との間の幅を表す数値データが含まれる。
【００３２】
制御部１４は、例えば、ＣＰＵ（Central Processing Unit）を含む構成である。制御部１４は、操作部１１、表示部１２及び検出器６との間で、電気信号の入力又は出力が可能である。制御部１４は、必要に応じて、記憶部１３に情報を格納し、また、記憶部１３に記憶されている情報を読み出す。制御部１４は、ＣＰＵがプログラムを実行することにより、データ処理部１４１、表示処理部１４２、自動波形処理部１４３及び手動波形処理部１４４などとして機能する。
【００３３】
データ処理部１４１は、検出器６からの検出信号に基づいてクロマトグラムを得る。データ処理部１４１で生成されたクロマトグラムのデータ（クロマトグラムデータ）は、検出データ１３１として記憶部１３に格納される。
【００３４】
表示処理部１４２は、データ処理部１４１によって生成されたクロマトグラムデータに基づいて、表示部１２にリアルタイムでクロマトグラムを表示させる処理を行う。すなわち、データ処理部１４１でクロマトグラムデータが生成されると、上記したように、そのデータが検出データ１３１として記憶部１３に格納されるとともに、リアルタイムで表示部１２にクロマトグラムが表示される。
【００３５】
自動波形処理部１４３は、記憶部１３に記憶されている検出データ１３１及びパラメータ１３２を読み出し、検出データ１３１（クロマトグラムデータ）の中からパラメータ１３２を満たす部分の波形をピークとして自動で検出する処理を行う。具体的には、自動波形処理部１４３は、パラメータ１３２に基づいて、検出データ１３１で表されるクロマトグラムにおけるピークの開始点及び終了点を検出するとともに、その開始点と終了点との間の幅が所定値以上であるか否かを検出する。
【００３６】
手動波形処理部１４４は、詳しくは後述するが、ユーザによる操作部１１の操作に基づいて、クロマトグラムのピークに関する変更（補正）を受け付ける。また、手動波形処理部１４４は、当該受け付けた内容を記憶部１３に記憶されているパラメータ１３２に反映させる。
【００３７】
表示処理部１４２は、上記した処理に加えて、自動波形処理部１４３によって検出されたクロマトグラムのピークを、表示部１２に表示させる処理を行う。また、表示処理部１４２は、手動波形処理部１４４が受け付けた内容に基づいて、表示部１２に表示されているクロマトグラムのピークを補正して表示する処理を行う。
【００３８】
３．表示画面の画面構成
図３は、表示画面１２１の表示態様の一例であって、予め記憶部１３に記憶しているパラメータ１３２に基づいて自動波形処理が行われる際の表示例を示した概略図である。
【００３９】
上記した表示部１２（図２参照）には、表示画面１２１が含まれている。
表示画面１２１には、クロマトグラム領域１２２と、パラメータ領域１２３とが含まれている。
【００４０】
クロマトグラム領域１２２は、記憶部１３に記憶されている検出データ１３１に基づくクロマトグラムを表示するための領域である。なお、クロマトグラム領域１２２では、横軸が時間を表し、縦軸が信号強度を表している。
【００４１】
パラメータ領域１２３は、記憶部１３に記憶されているパラメータ１３２を表示するための領域である。パラメータ領域１２３には、第１パラメータ表示領域１２４と、第２パラメータ表示領域１２５と、第３パラメータ表示領域１２６とが含まれる。第１パラメータ表示領域１２４、第２パラメータ表示領域１２５及び第３パラメータ表示領域１２６のそれぞれに表示される内容は、記憶部１２３に記憶される各パラメータ１３２に対応している。
【００４２】
第１パラメータ表示領域１２４は、クロマトグラム上のデータをピークの開始点として検出するための波形の傾きの数値を表示する領域である。すなわち、第１パラメータ表示領域１２４には、クロマトグラムにおいて、ピークの開始点を検出するときの閾値となる数値が表示される。具体的には、第１パラメータ表示領域１２４には、単位時間当たりの信号強度の増加量（Ｓｌｏｐｅ）が表示される。
【００４３】
第２パラメータ表示領域１２５は、クロマトグラム上のデータをピークの終了点として検出するための波形の傾きの数値を表示する領域である。すなわち、第２パラメータ表示領域１２５には、クロマトグラムにおいて、ピークの終了点を検出するときの閾値となる数値が表示される。具体的には、第２パラメータ表示領域１２５には、単位時間当たりの信号強度の減少量（Ｓｌｏｐｅ）が表示される。
【００４４】
第３パラメータ表示領域１２６は、クロマトグラムの波形をピークとして検出するためのピークの開始点から終了点までの幅の数値を表示する領域である。すなわち、第３パラメータ表示領域１２６には、クロマトグラムにおいて、ピークを検出するときの閾値となる数値が表示される。具体的には、第３パラメータ表示領域１２６には、ピークの開始点から終了点までの時間（Ｗｉｄｔｈ）が表示される。
【００４５】
４．制御部による制御動作、及び、表示画面の表示態様
図４は、制御部１４による処理の一例を示したフローチャートである。
【００４６】
データ処理装置１及びガスクロマトグラフ２において分析動作が開始されると、データ処理部１４１（図２参照）は、検出器６からの検出信号に基づいてクロマトグラムを生成する。そして、図示しないが、表示画面１２１には、クロマトグラムがリアルタイムで表示される。また、生成されたクロマトグラムのデータは、検出データ１３１として記憶部１３に格納される。
【００４７】
そして、ユーザによって操作部１１が操作されて、波形処理のための操作が行われると、自動波形処理部１４３は、記憶部１３に記憶されている検出データ１３１及びパラメータ１３２を読み出す（ステップＳ１０１）。また、表示処理部１４２は、自動波形処理部１４３が読み出したパラメータ１３２を、パラメータ領域１２３に表示させる。
【００４８】
具体的には、図３に示すように、第１パラメータ表示領域１２４、第２パラメータ表示領域１２５及び第３パラメータ表示領域１２６のそれぞれに、記憶部１３のパラメータ１３２の内容が表示される。この例では、第１パラメータ表示領域１２４に「３０」と表示され、第２パラメータ表示領域１２５に「５０」と表示され、第３パラメータ表示領域１２６に「５」と表示される。
【００４９】
そして、自動波形処理部１４３は、記憶部１３のパラメータ１３２の内容、すなわち、パラメータ領域１２３に表示されている内容に基づいて、検出データ１３１で表されるクロマトグラムにおけるピークを検出する（ステップＳ１０２）。また、表示処理部１４２は、自動波形処理部１４３によって検出されるクロマトグラムのピークを、表示画面１２１のクロマトグラム領域１２２に表示させる。
この例では、表示処理部１４２は、検出データ１３１に対応するクロマトグラムを表すグラフＡにおける検出されたピークの周辺部分をクロマトグラム領域１２２に表示させる。
【００５０】
また、自動波形処理部１４３は、グラフＡ上において、第１パラメータ表示領域１２４に表示される条件を満たす部分（点）を、ピークの開始点Ｂとして検出する。具体的には、自動波形処理部１４３は、グラフＡ上において、接線の傾きが正の値となる点であって、その傾きの絶対値（波形の傾きの数値）が３０となる点をピークの開始点Ｂとして検出する。
【００５１】
また、自動波形処理部１４３は、グラフＡ上において、第２パラメータ表示領域１２５に表示される条件を満たす部分（点）を、ピークの終了点Ｃとして検出する。具体的には、自動波形処理部１４３は、グラフＡ上において、接線の傾きが負の値となる点であって、その傾きの絶対値（波形の傾きの数値）が５０となる点をピークの終了点Ｃとして検出する。
【００５２】
また、自動波形処理部１４３は、検出したピークの開始点から終了点までの幅（時間）が、第３パラメータ表示領域１２６に表示される条件を満たす場合に、それらの間の波形をピークとして検出する。具体的には、自動波形処理部１４３は、開始点Ｂから終了点Ｃまでの時間が、５秒以上であるか否かを検出する。なお、この例では、検出した開始点Ｂから終了点Ｃまでの時間が、５秒以上であるとする。そのため、自動波形処理部１４３は、グラフＡにおいて、開始点Ｂから終了点Ｃまでの波形をピークＰ１として検出する。
【００５３】
そして、表示処理部１４２は、クロマトグラム領域１２２において、開始点Ｂと終了点Ｃとを結ぶベースラインＤを表示させる。これにより、クロマトグラム領域１２２では、ベースラインＤの一端（左端）が開始点Ｂとして表され、ベースラインＤの他端（右端）が終了点Ｃとして表され、ベースラインＤの一端（点Ｂ）から他端（点Ｃ）までの間の波形がピークＰ１として表される。
また、ユーザは、クロマトグラム領域１２２に表示されている内容を確認して分析を行う。
【００５４】
ここで、ユーザは、クロマトグラム領域１２２で表示されるクロマトグラム（グラフＡ）のピークＰ１が適切でないと判断した場合には、以下のように、ピークＰ１に対する補正を行う。この例では、グラフＡ上において、終了点Ｃが本来の位置からずれている点であるため、ユーザは、以下のようにして、手動操作で終了点Ｃを補正する。
【００５５】
図５は、表示画面１２１の表示態様の一例であって、手動波形処理が行われる際の表示例を示した概略図である。
具体的には、ユーザは、操作部１１を操作して、ポインタ（図示せず）を終了点Ｃに重ねる。そして、ユーザは、例えば、ドラッグ操作などにより、終了点Ｃを選択した後、グラフＡ上の点Ｅを選択する。このように、ユーザは、グラフＡ上のピークの終了点を点Ｃから点Ｅに補正する指定を行う（ステップＳ１０３でＹＥＳ）。
【００５６】
そして、手動波形処理部１４４は、ユーザの指定を受け付け、その内容を記憶部１３のパラメータ１３２に反映させる。具体的には、手動波形処理部１４４は、グラフＡにおける点Ｅの接線の傾きを抽出する。そして、手動波形処理部１４４は、その抽出した数値を、記憶部１３のパラメータ１３２に上書きするようにして、反映させる（ステップＳ１０４）。
【００５７】
また、表示処理部１４２は、クロマトグラム領域１２２において、開始点Ｂと終了点Ｅとを結ぶベースラインＦを表示させる。これにより、クロマトグラム領域１２２では、ベースラインＦの一端（左端）が開始点Ｂとして表され、ベースラインＦの他端（右端）が終了点Ｅとして表され、ベースラインＦの一端（点Ｂ）から他端（点Ｅ）までの間の波形がピークＰ２として表される。
【００５８】
さらに、表示処理部１４２は、記憶部１３で上書きされたパラメータ１３２に基づいて、パラメータ領域１２３の表示内容を更新する（ステップＳ１０５）。この例では、表示処理部１４２は、グラフＡにおける終了点Ｅの接線の傾きの絶対値（波形の傾きの数値）である「２」を第２パラメータ表示領域１２５に表示させる。
【００５９】
なお、この例では、開始点Ｂは、補正されていないため、パラメータ領域１２３の第１パラメータ表示領域１２４の表示内容は変更されない。同様に、開始点Ｂから新たな終了点Ｅまでの幅（時間）は、短くなっていないため、パラメータ領域１２３の第３パラメータ表示領域１２６の表示内容は変更されない。
【００６０】
すなわち、図示しないが、ユーザによる操作部１１の操作（手動操作）によって、開始点Ｂが補正された場合には、その内容が記憶部１３のパラメータ１３２に反映されるとともに、補正後のパラメータ１３２に基づいて、第１パラメータ表示領域１２４の表示が更新される。同様に、補正された後のピークの幅が、予め第３パラメータ表示領域１２６に表示される幅よりも短い場合には、補正後のピークの幅が記憶部１３のパラメータ１３２に反映されるとともに、補正後のパラメータ１３２に基づいて、第３パラメータ表示領域１２６の表示が更新される。
【００６１】
そして、再度、波形処理が開始された場合には、自動波形処理部１４３によって、補正後のパラメータ１３２に基づいて、クロマトグラムのピークが自動で検出される。そして、表示処理部１４２によって、検出されたピークがクロマトグラム領域１２２に表示される。
【００６２】
５．作用効果
（１）本実施形態では、図２に示すように、自動波形処理部１４３によって、記憶部１３に記憶されるパラメータ１３２に基づいて、クロマトグラムデータから自動でピークが検出された場合であって、検出されたピークが分析に適さないものである場合には、ユーザは、操作部１１を操作して、ピークに対して手動操作を行うことにより、ピークを補正できる。そして、手動波形処理部１４４は、ユーザによる手動操作に基づいて、ピークのパラメータが指定された場合には、その指定されたパラメータを記憶部１３に記憶されているパラメータ１３２に反映させる。
【００６３】
すなわち、記憶部１３に予め記憶されるパラメータ１３２が適切な値でない場合には、手動波形処理部１４４によって、ユーザの手動操作によるピークの補正に伴うパラメータの指定を受け付け、その指定を記憶部１３のパラメータ１３２に反映させて適切な値に変更できる。そして、その後に波形処理を行う際には、自動波形処理部１４３によって、適切な値のパラメータ１３２（補正後のパラメータ１３２）に基づいてピークが自動で検出される。
【００６４】
具体的には、図５に示すように、ユーザによって、一度、手動操作でピークが補正されると、手動波形処理部１４４は、その手動操作による補正に基づいて、適切な値のパラメータを抽出する。そして、抽出されたパラメータは、記憶部１３のパラメータ１３２に反映される。その後は、変更された後（補正後）のパラメータ１３２に基づいて、正確なピークが自動で検出される。
そのため、ユーザによる手動操作が繰り返し行われることを抑制できる。
その結果、自動で波形処理されたデータ（クロマトグラムデータ）を補正する作業を効率化できる。
【００６５】
（２）また、表示処理部１４２は、図５に示すように、ユーザの指定が反映された新たなパラメータ１３２を表示画面１２１のパラメータ領域１２３に表示させる。
そのため、ユーザは、適切な値のパラメータ１３２を表示画面１２１において確認できる。
具体的には、ユーザが表示画面１２１に表示されているピークに対して手動操作を行って、ピークのパラメータを指定した場合には、その指定が反映されたパラメータの値を正確に確認することが難しい場合がある。
そこで、本実施形態のように、その指定が反映された新たなパラメータ１３２を表示画面１２１に表示させることにより、ユーザは、適切な値のパラメータ１３２を正確に確認することができる。
【００６６】
（３）また、パラメータ１３２には、クロマトグラムにおけるピークの開始点における波形の傾きを表す数値データ、ピークの終了点における波形の傾きを表す数値データ、及び、ピークの開始点と終了点との間の幅を表す数値データが含まれる。
そのため、ピークを自動で検出するのに適切な種類のパラメータが、ユーザの手動操作により指定され、記憶部１３に記憶されているパラメータ１３２に反映される。したがって、その後に変更された後のパラメータ１３２に基づいてピークを自動で検出すれば、クロマトグラムデータから精度よくピークを検出できる。
【００６７】
６．変形例
上記実施形態で説明したパラメータ１３２、すなわち、ユーザの手動操作により指定されて、記憶部１３で指定が反映されるパラメータ１３２は、その後の波形処理における全てのピークの検出に用いられるような構成に限らない。例えば、記憶部１３で指定が反映されたパラメータ１３２が、その後の波形処理における同一成分のピークの検出のみに用いられてもよいし、同一のクロマトグラムにおける他の成分のピークの検出に用いられてもよい。
【００６８】
また、以上の説明では、データ処理装置１は、ガスクロマトグラフ２とともに用いられるとして説明した。しかし、データ処理装置１は、ガスクロマトグラフ（ＧＣ）以外の装置とともに用いることが可能である。例えば、データ処理装置１は、液体クロマトグラフ（ＬＣ）、液体クロマトグラフ質量分析装置（ＬＣＭＳ）、又は、ガスクロマトグラフ質量分析装置（ＧＣＭＳ）などとともに用いることが可能である。
【００６９】
また、以上の説明では、パラメータ１３２には、クロマトグラムにおけるピークの開始点における波形の傾きを表す数値データ、ピークの終了点における波形の傾きを表す数値データ、及び、ピークの開始点と終了点との間の幅を表す数値データが含まれるとして説明した。しかし、パラメータ１３２には、クロマトグラムにおけるピークの開始点における波形の傾きを表す数値データ、ピークの終了点における波形の傾きを表す数値データ、及び、ピークの開始点と終了点との間の幅を表す数値データの少なくとも１つが含まれればよく、また、他のパラメータが含まれてもよい。
【符号の説明】
【００７０】
１    データ処理装置
１３    記憶部
１４    制御部
１２１    表示画面
１３２    パラメータ
１４２    表示処理部
１４３    自動波形処理部
１４４    手動波形処理部
【図１】
0006631373.tif 000002
【図２】
0006631373.tif 000003
【図３】
0006631373.tif 000004
【図４】
0006631373.tif 000005
【図５】
0006631373.tif 000006